(57)【要約】【課題】通常の習字や絵画等の習得時と同等の環境下で用紙に手本を表示させ得る表示装置を提供する。【解決手段】用紙設置位置（用紙３を載置する下敷き２の上）よりも上方に設置可能に構成されて表示用データＤｄ１，Ｄｄ２に基づく表示用画像を表示するための投射光Ｌを用紙設置位置に向けて投射するプロジェクタ１５を備えている。したがって、例えば習字習得時に光透過性を有さない極く一般的な下敷き２を使用したとしても表示した表示用画像を確実に視認させることができ、通常の習字習得時と同等の環境下で表示用画像を表示させることができるため、筆の走りに違和感を覚えさせる事態を回避することができる。また、下敷き２の交換が不要な分だけ低コストで習字の習得ができる。さらに、例えば絵画習得に際してキャンバス等の光透過性が低い用紙に対しても表示用画像を投射することができる。【選択図】図１
2006113424.tif 000002
【特許請求の範囲】
【請求項１】
光源からの光を画像データに基づいて表示用画像に変調して投射するプロジェクタを備
え、当該プロジェクタは、用紙設置位置よりも上方に設置され、前記表示用画像を前記用
紙設置位置に向けて投射する表示装置。
【請求項２】
前記画像データは外部装置によって生成され、当該外部装置によって生成された前記画
像データを取得する画像データ取得部を備え、前記プロジェクタは前記画像データ取得部
によって取得された前記画像データに基づく前記表示用画像を投射する請求項１記載の表
示装置。
【請求項３】
前記画像データ取得部は、前記画像データを記憶可能な記憶媒体を接続可能に構成され
て当該記憶媒体に記憶されている前記画像データを読み出して取得する請求項２記載の表
示装置。
【請求項４】
前記画像データ取得部は、無線通信によって外部装置から前記画像データを取得する請
求項２または３記載の表示装置。
【請求項５】
前記表示用画像は文字画像であり、文字データを取得する文字データ取得部と、書体デ
ータを記憶する記憶部と、前記文字データおよび前記書体データに基づいて前記画像デー
タを生成する画像データ生成部とを備え、前記プロジェクタは前記画像データ生成部によ
って生成された前記画像データに基づく前記文字画像を投射する請求項１から４のいずれ
かに記載の表示装置。
【請求項６】
前記文字データ取得部は、前記文字データを記憶可能な記憶媒体を接続可能に構成され
て当該記憶媒体に記憶されている前記文字データを読み出して取得する請求項５記載の表
示装置。
【請求項７】
前記文字データ取得部は、無線通信によって外部装置から前記文字データを取得する請
求項５または６記載の表示装置。
【請求項８】
前記プロジェクタは、画像補正処理を実行可能に構成されている請求項１から７のいず
れかに記載の表示装置。
【発明の詳細な説明】
【技術分野】
【０００１】
本発明は、習字や絵画を習得するための手本画像を表示する表示装置に関するものであ
る。
【背景技術】
【０００２】
この種の表示装置として、液晶パネルの上に載置した半紙を透過させて手本（手本画像
）を表示する卓上平置型液晶表示装置（以下、表示装置ともいう）が特開２００１−１０
０６２９号公報に開示されている。この表示装置を用いて手本を表示させるには、まず、
液晶パネルの上に専用用紙（専用下敷き）を載置する。この場合、専用用紙は、液晶パネ
ルからの光を透過可能で、かつ、吸水性を有する材料（一例として、和紙）で形成されて
いる。次いで、専用用紙の上に半紙を載置して文鎮で固定する。続いて、パソコンから表
示装置に手本用の画像データを出力することにより、液晶パネルに手本（手本画像）を表
示させる。これにより、液晶パネルに表示された手本が専用用紙および半紙を透過して視
認可能な状態となり、この手本をなぞるようにして文字を書くことによって習字の自己学
習が可能となる。
【特許文献１】特開２００１−１００６２９号公報（第２−３頁、第１−３図）
【発明の開示】
【発明が解決しようとする課題】
【０００３】
ところが、従来の表示装置には、以下の問題点がある。すなわち、この表示装置では、
液晶パネルに表示させた手本を半紙を透過させて視認させる構成が採用されている。した
がって、この表示装置では、文字を書く半紙と液晶パネルとの間に光透過性を有する専用
用紙を配設する必要がある。このため、習字に際して半紙の下に敷く一般的な下敷き（フ
ェルト等）の硬さと、専用用紙の硬さとが大きく相違することに起因して、筆の走りに違
和感を覚えるという問題点がある。また、従来の表示装置では、半紙に文字を書くことに
よって墨汁が専用用紙に吸収されて専用用紙が汚れるため、その汚れの存在によって手本
の表示が妨げられないように専用用紙を毎回交換する必要があるという問題点も存在する
。さらに、この表示装置を用いて絵画を習得する際には、液晶パネルに表示させた手本の
視認が可能な用紙（光透過性を有する用紙）を使用する必要がある。このため、光透過性
が低いキャンバスを使用する油絵等の習得に際してこの表示装置を用いるのは困難であるという問題点も存在する。
【０００４】
本発明は、かかる問題点に鑑みてなされたものであり、通常の習字や絵画等の習得時と
同等の環境下で用紙に手本画像を表示させ得る表示装置を提供することを主目的とする。
【課題を解決するための手段】
【０００５】
上記目的を達成すべく本発明に係る表示装置は、光源からの光を画像データに基づいて
表示用画像に変調して投射するプロジェクタを備え、当該プロジェクタは用紙設置位置よ
りも上方に設置され、表示用画像を用紙設置位置に向けて投射する。
【０００６】
この表示装置によれば、画像データに基づく表示用画像（手本画像）を表示するための
投射光をプロジェクタによって用紙設置位置に向けて投射することにより、例えば習字の
習得時には、液晶パネルに表示した手本を専用用紙および半紙を透過させて視認させる従
来の表示装置とは異なり、極く一般的な下敷き（光透過性を有さない材料で製造された下
敷き）を使用したとしても手本画像を確実に視認させることができる。したがって、通常
の習字のときと同等の環境下で手本画像を表示させることができる結果、筆の走りに違和
感を覚えさせることなく手本画像をなぞるようにして習字を習得させることができる。ま
た、下敷きが墨汁によって汚れたとしても手本画像の表示に何ら影響を与えないため、専
用用紙を毎回交換する必要がある従来の表示装置とは異なり、低コストで習字を習得させ
ることができる。また、例えば絵画の習得に際しても、液晶パネルに表示した手本画像を
専用用紙および半紙を透過させて視認させる従来の表示装置とは異なり、光透過性を有さ
ない（若しくは光透過性が低い）キャンバス等の用紙に対しても手本画像を投射すること
ができる。
【０００７】
また、本発明に係る表示装置は、上記の表示装置において、画像データは外部装置によ
って生成され、当該外部装置によって生成された画像データを取得する画像データ取得部
を備え、プロジェクタは画像データ取得部によって取得された画像データに基づく表示用
画像を投射する。
【０００８】
この表示装置によれば、習字等の習得の進行に応じて各種の手本が描かれた画像データ
が外部装置によって生成され、その外部装置によって生成された画像データを画像データ
取得部が取得して投射することにより、装置が大型化することなく持ち運びが容易で簡易
に設置可能である。
【０００９】
さらに、本発明に係る表示装置は、上記の表示装置において、画像データ取得部が、画
像データを記憶可能な記憶媒体を接続可能に構成されて当該記憶媒体に記憶されている画
像データを読み出して取得する。
【００１０】
この表示装置によれば、記憶媒体に記憶されている画像データを画像データ取得部が読
み出して取得することにより、例えば、習字の塾などにおいて複数台の表示装置と１台の
パソコンとを用意するだけで、このパソコンによって生成した画像データをメモリカード
等を介して各表示装置に取得させて表示用画像をそれぞれ投射させることができる。
【００１１】
また、本発明に係る表示装置は、上記の表示装置において、画像データ取得部が、無線
通信によって外部装置から画像データを取得する。
【００１２】
この表示装置によれば、画像データ取得部が無線通信によって外部装置から画像データ
を取得することにより、例えば、習字の塾などにおいて複数台の表示装置と１台のパソコ
ンとを用意するだけで、このパソコンによって生成した画像データを無線通信によって各
表示装置に取得させて表示用画像をそれぞれ投射させることができる。
【００１３】
さらに、本発明に係る表示装置は、上記の表示装置において、表示用画像は文字画像で
あり、文字データを取得する文字データ取得部と、書体データを記憶する記憶部と、文字
データおよび書体データに基づいて画像データを生成する画像データ生成部とを備え、プ
ロジェクタは画像データ生成部によって生成された画像データに基づく文字画像を投射す
る。
【００１４】
この表示装置によれば、文字データ取得部によって取得された文字データと、記憶部に
記憶されている書体データとに基づいて画像データ生成部が画像データを生成することに
より、例えば、習字を習得する者が選択した任意の文字列についての文字画像を投射させ
ることができる。したがって、例えば習字の先生が書いた手本等が存在しないときであっ
ても、任意の文字列が描画された文字画像を投射させて習字の習得を行うことができる。
【００１５】
また、本発明に係る表示装置は、上記の表示装置において、文字データ取得部が、文字
データを記憶可能な記憶媒体を接続可能に構成されて当該記憶媒体に記憶されている文字
データを読み出して取得する。
【００１６】
この表示装置によれば、記憶媒体に記憶されている文字データを文字データ取得部が読
み出して取得することにより、例えば、習字の塾などにおいて複数台の表示装置と１台の
パソコンとを用意するだけで、このパソコンによって生成した文字データをメモリカード
等を介して各表示装置に取得させて文字画像をそれぞれ投射させることができる。
【００１７】
さらに、本発明に係る表示装置は、上記の表示装置において、文字データ取得部が、無
線通信によって外部装置から文字データを取得する。
【００１８】
この表示装置によれば、文字データ取得部が無線通信によって外部装置から文字データ
を取得することにより、例えば、習字の塾などにおいて複数台の表示装置と１台のパソコ
ンとを用意するだけで、このパソコンによって生成した文字データを赤外線通信等によっ
て各表示装置に取得させて文字画像をそれぞれ投射させることができる。
【００１９】
また、本発明に係る表示装置は、上記の表示装置において、前記プロジェクタが台形歪
み等の画像補正処理を実行可能に構成されている。
【００２０】
この表示装置によれば、プロジェクタが台形歪み等の画像補正処理を実行することによ
り、用紙設置位置よりも奥側に表示装置を設置したとしても、台形歪みのない表示用画像
を投射させることができる。したがって、用紙設置位置に対して真上から投射光を投射し
て手本画像を表示させることにより手暗がりが生じて手本画像の視認が妨げられるという
ような事態を回避することができる。また、フォーカスがずれて輪郭線等がはっきりしな
いというような事態も回避することができる。
【発明を実施するための最良の形態】
【００２１】
以下、添付図面を参照して、本発明に係る表示装置の最良の形態について説明する。最
初に、表示装置１の構成について、図面を参照して説明する。表示装置１は、図２に示す
ように、例えば机上に設置された下敷き２の上に載置された用紙３に向けて投射光Ｌを下
向きに投射することにより、用紙３に習字習得用の表示用画像Ｇ（一例として毛筆体で「
手本」の２文字が描画された文字画像）を表示可能に構成されている。具体的には、図１
に示すように、表示装置１は、画像データ取得部１１、文字データ取得部１２、記憶部１
３、表示用データ生成部１４、プロジェクタ１５、操作部１６および主制御部１７を備え
て構成されている。この場合、用紙３が載置される部位（この例では、下敷き２の上）が
本発明における用紙設置位置に相当する。また、図２に示すように、表示装置１は、箱体
内に上記のプロジェクタ１５などが収容されて本体部１０ｃが構成され、この本体部１０
ｃがベース板１０ａに立設された柱部１０ｂの上端部に取り付けられている。これにより
、プロジェクタ１５から用紙３に投射光Ｌを下向きに投射して表示用画像Ｇを投射表示可
能に構成されている。なお、この表示装置１を用いて習字を習得する際には、通常の習字
に際して使用する極く普通の下敷き２（一例として、フェルト）や用紙３（半紙等）を使
用する。
【００２２】
画像データ取得部１１は、図１に示すように、パソコン等（本発明における外部装置の
一例）によって生成された画像データＤｐを主制御部１７の制御下で取得して表示用デー
タＤｄ１（本発明における画像データの一例）としてプロジェクタ１５に出力する。この
場合、画像データＤｐは、例えば、パソコンに接続されたスキャナ（図示せず）を用いて
、習字の先生によって書かれた「手本の書」をデジタルデータ化して生成されている。そして、画像データ取得部１１は、メモリカード（本発明における記憶媒体の一例）を接
続可能なカードスロット（図示せず）と、例えば赤外線通信（本発明における無線通信の
一例）によってパソコンに接続可能な光通信部（図示せず）とを備え、主制御部１７の制
御に従い、カードスロットに挿入された（接続された）メモリカード（一例として、パソ
コンを用いて生成された画像データＤｐを記憶しているメモリカード）からの画像データ
Ｄｐの読み出しや、赤外線通信によるパソコン等からの画像データＤｐのダウンロードを
実行する。
【００２３】
文字データ取得部１２は、図１に示すように、パソコンや携帯電話等によって生成され
た文字データＤｔを主制御部１７の制御下で取得して表示用データ生成部１４に出力する
。この場合、文字データＤｔは、例えば利用者がパソコンや携帯電話の操作部を操作して
指定した文字を示すテキストデータで構成されている。また、文字データ取得部１２は、
メモリカード（本発明における記憶媒体の一例）を接続可能なカードスロット（図示せず
）と、例えば赤外線通信（本発明における無線通信の一例）によってパソコンに接続可能
な光通信部（図示せず）とを備え、主制御部１７の制御に従い、カードスロットに挿入さ
れた（接続された）メモリカード（一例として、パソコン等を用いて生成された文字デー
タＤｔを記憶しているメモリカード）からの文字データＤｔの読み出しや、赤外線通信に
よる携帯電話等からの文字データＤｔのダウンロードを実行する。
【００２４】
記憶部１３は、毛筆体（楷書体や行書体等）やペン書体等の各種フォントデータＤｆ，
Ｄｆ・・（本発明における書体データ）を記憶する。表示用データ生成部１４は、文字デ
ータ取得部１２から出力された文字データＤｔと記憶部１３に記憶されているフォントデ
ータＤｆとに基づいて表示用データＤｄ２（本発明における画像データの他の一例）を生
成してプロジェクタ１５に出力する。具体的には、表示用データ生成部１４は、例えば、
文字データ取得部１２によって取得された「手本」の２文字を示す文字データＤｔと、記
憶部１３に記憶されているフォントデータＤｆ，Ｄｆ・・のうちの毛筆体（一例として、
楷書体）とに基づいて、図２に示す表示用画像Ｇを表示するための表示用データＤｄ２を
生成する。
【００２５】
プロジェクタ１５は、光源と、光変調素子（一例として、ＤＭＤ（Digital Micro Mirr
or Device ）や液晶ライトバルブ）と、投射レンズと、表示制御部とを備え、光源からの
光を主制御部１７の制御に従い、画像データ取得部１１から出力された表示用データＤｄ
１や表示用データ生成部１４から出力された表示用データＤｄ２に基づいて、光変調素子
が光変調した投射光Ｌを投射レンズから射出する。また、表示制御部は、主制御部１７の
制御下で用紙３に対するプロジェクタ１５の設置場所に応じた台形歪み等の画像補正処理
を実行する。操作部１６は、画像データ取得部１１や文字データ取得部１２をパソコン等
に接続する際の手順を指定する操作、メモリカードから画像データＤｐやフォントデータ
Ｄｆを読み出すための操作、および表示用データ生成部１４が表示用データＤｄ２を生成
する際に使用すべきフォントデータＤｆを指定するための操作などを実行するための各種
操作ボタンを備えている。主制御部１７は、操作部１６に対するボタン操作に応じて、画
像データ取得部１１、文字データ取得部１２、表示用データ生成部１４およびプロジェク
タ１５を制御する。
【００２６】
次に、表示装置１を用いて用紙３に表示用画像Ｇを表示させる方法について、図面を参
照して説明する。まず、例えば画像データＤｐが記憶されているメモリカードを画像デー
タ取得部１１に接続する。この際に、画像データ取得部１１は、主制御部１７の制御下で
メモリカードから画像データＤｐを読み出し、その画像データＤｐに対して各種画像処理
を実行することによって表示用データＤｄ１を生成してプロジェクタ１５に出力する。具
体的には、例えば、取得した画像データＤｐの画像サイズと、プロジェクタ１５に出力す
べき表示用データＤｄ１の画像サイズとに鑑みて、予め規定されたサイズよりも画像デー
タＤｐの画像サイズが小さいときには画像拡大処理を実行し、予め規定されたサイズより
も画像データＤｐの画像サイズが大きいときには画像縮小処理を実行して表示用データＤ
ｄ１を生成する。なお、この際には、メモリカードを介して取得した画像データＤｐのみ
ならず、赤外線通信によってパソコンからダウンロードした画像データＤｐに基づいて表
示用データＤｄ１を生成することもできる。
【００２７】
次いで、図２に示すように、表示装置１の手前側に下敷き２を敷いて、その上に用紙３
を載置して文鎮で押さえる。続いて、操作部１６の投射開始ボタンが操作されたときに、
主制御部１７が、プロジェクタ１５を制御して表示用データＤｄ１に基づく表示用画像Ｇ
を投射させる。具体的には、プロジェクタ１５では、表示制御部が、光源を点灯させると
共に、画像データ取得部１１から出力された表示用データＤｄ１に基づいて光変調素子を
制御して光源からの光を光変調させる。これにより、プロジェクタ１５の投射レンズから
下敷き２の上の用紙３に向けて投射光Ｌが投射されて表示用画像Ｇが用紙３に表示される
。この際に、表示装置１が用紙３（下敷き２）よりも奥側に設置されているため、図３に
示すように、用紙３に投射された表示用画像Ｇは、手前側が幅広となるような歪んだ台形
歪みが生じる。したがって、操作部１６の調整ボタンを操作することにより、この台形歪
みを補正する。具体的には、プロジェクタ１５が、主制御部１７の制御下で操作部１６の
ボタン操作に応じて台形歪み補正処理を実行することにより、図４に示すように、表示用
画像Ｇにおける手前側の一辺および奥側の一辺の長さが等しくなるように表示用データＤ
ｄ１を画像変形処理する。これにより、同図に示すように、台形歪みのない表示用画像Ｇ
が用紙３に投射される。この後、用紙３に投射された表示用画像Ｇの「手本」の文字をな
ぞるようにして文字を書く。これにより、画像データＤｐに基づいて表示させた手本（表
示用画像Ｇ）を真似ての習字の習得が可能となる。また、本体部１０ｃの柱部１０ｂに対
する取り付け位置の調整や投射レンズの調整をすることによりフォーカス調整ができ、輪
郭線の明確な表示用画像Ｇを投射することが可能となる。
【００２８】
一方、この表示装置１では、パソコン等によって生成した画像データＤｐに基づく表示
用画像Ｇのみならず、例えば携帯電話によって生成した文字データＤｔと記憶部１３に記
憶されているフォントデータＤｆとに基づいて表示用データＤｄ２を生成して表示用画像
Ｇを表示させることができる。具体的には、まず、携帯電話の操作部を操作して「手本」
の２文字を入力操作することによって文字データＤｔを生成する。次いで、表示装置１の
操作部１６を操作して文字データ取得部１２を赤外線通信モードにセットする。これによ
り、携帯電話と表示装置１（文字データ取得部１２）とが赤外線通信によって通信可能な
状態となる。続いて、携帯電話から文字データＤｔをダウンロードする。この際には、文
字データ取得部１２が赤外線通信によって携帯電話からダウンロードした文字データＤｔ
を表示用データ生成部１４に出力する。この際に、赤外線通信による文字データＤｔの取
得のみならず、メモリカードを介してパソコン等から文字データＤｔを取得することもで
きる。
【００２９】
次いで、操作部１６を制御して、例えば毛筆体（一例として、楷書体）で手本を表示さ
せる旨を指示する。これに応じて、表示用データ生成部１４が、文字データ取得部１２か
ら出力された文字データＤｔと、記憶部１３に記憶されているフォントデータＤｆ（この
例では、楷書体のフォントデータＤｆ）とに基づいて楷書体で「手本」と描画された画像
についての表示用データＤｄ２を生成してプロジェクタ１５に出力する。続いて、操作部
１６により投射開始の操作がなされた際に、主制御部１７が、プロジェクタ１５を制御し
て表示用データＤｄ２に基づく表示用画像Ｇを投射させる。この際には、前述した表示用
データＤｄ１に基づく表示用画像Ｇの表示と同様にして、プロジェクタ１５の表示制御部
が、台形歪み補正処理を実行して、図４に示すように、表示用画像Ｇにおける手前側の一
辺および奥側の一辺の長さが等しくなるように表示用データＤｄ２を画像補正処理する。
これにより、同図に示すように、台形歪みのない表示用画像Ｇが用紙３に投射される。こ
の後、用紙３に投射された表示用画像Ｇの「手本」の文字をなぞるようにして文字を書く
。これにより、文字データＤｔおよびフォントデータＤｆに基づいて表示させた手本（表
示用画像Ｇ）を真似ての習字の習得が可能となる。
【００３０】
このように、この表示装置１によれば、表示用データＤｄ１，Ｄｄ２に基づく表示用画
像Ｇを表示するための投射光Ｌをプロジェクタ１５によって下敷き２上の用紙３に向けて
投射することにより、液晶パネルに表示した手本を専用用紙および半紙を透過させて視認
させる従来の表示装置とは異なり、極く一般的な下敷き２（光透過性を有さない材料で製
造された下敷き）を使用したとしても表示用画像Ｇを確実に視認させることができる。し
たがって、通常の習字のときと同等の環境下で表示用画像Ｇを表示させることができる結
果、筆の走りに違和感を覚えさせることなく手本（表示用画像Ｇ）をなぞるようにして習
字を習得させることができる。また、下敷き２が墨汁によって汚れたとしても表示用画像
Ｇの表示に何ら影響を与えないため、専用用紙を毎回交換する必要がある従来の表示装置
とは異なり、低コストで習字を習得させることができる。
【００３１】
また、この表示装置１によれば、パソコン等の外部装置によって生成された画像データ
Ｄｐを画像データ取得部１１が取得し、その画像データＤｐに基づいて光変調した投射光
をプロジェクタ１５が投射することにより、習字等の習得の進行に応じて各種の手本が描
かれた画像データＤｐ，Ｄｐ・・を取得して、その表示用画像Ｇを投射することができる
。したがって、装置が大型化することなく持ち運びが容易で簡易に設置可能である。
【００３２】
さらに、この表示装置１によれば、メモリカードに記憶されている画像データＤｐを画
像データ取得部１１が読み出して取得することにより、例えば、習字の塾などにおいて複
数台の表示装置１，１・・と１台のパソコンとを用意するだけで、このパソコンによって
生成した画像データＤｐをメモリカードを介して各表示装置１，１・・に取得させて表示
用画像Ｇをそれぞれ投射させることができる。
【００３３】
また、この表示装置１によれば、画像データ取得部１１が赤外線通信によってパソコン
等の外部装置から画像データＤｐを取得することにより、例えば、習字の塾などにおいて
複数台の表示装置１，１・・と１台のパソコンとを用意するだけで、このパソコンによっ
て生成した画像データＤｐを赤外線通信によって各表示装置１，１・・に取得させて表示
用画像Ｇをそれぞれ投射させることができる。
【００３４】
さらに、この表示装置１によれば、文字データ取得部１２によって取得された文字デー
タＤｔと、記憶部１３に記憶されているフォントデータＤｆとに基づいて表示用データ生
成部１４が表示用データＤｄ２を生成することにより、例えば、習字を習得する者が選択
した任意の文字列についての表示用画像Ｇを用紙３に投射させることができる。したがっ
て、例えば習字の先生が書いた手本が存在しないときであっても、それに代えて任意の文字列が描画された表示用画像Ｇを投射させて習字の習得を行うことができる。
【００３５】
また、この表示装置１によれば、メモリカードに記憶されている文字データＤｔを文字
データ取得部１２が読み出して取得することにより、例えば、習字の塾などにおいて複数
台の表示装置１，１・・と１台のパソコンとを用意するだけで、このパソコンによって生
成した文字データＤｔをメモリカードを介して各表示装置１，１・・に取得させて表示用
画像Ｇをそれぞれ投射させることができる。
【００３６】
さらに、この表示装置１によれば、文字データ取得部１２が無線通信によってパソコン
等の外部装置から文字データＤｔを取得することにより、例えば、習字の塾などにおいて
複数台の表示装置１，１・・と１台のパソコンとを用意するだけで、このパソコンによっ
て生成した文字データＤｔを赤外線通信によって各表示装置１，１・・に取得させて表示
用画像Ｇをそれぞれ投射させることができる。
【００３７】
また、この表示装置１によれば、プロジェクタ１５が画像補正処理を実行することによ
り、用紙３よりも奥側に表示装置１を設置したとしても、台形歪みのない表示用画像Ｇを
用紙３に投射させることができる。したがって、用紙３に対して真上から投射光Ｌを投射
して表示用画像Ｇを表示させることにより手暗がりが生じて手本画像の視認が妨げられる
というような事態を回避することができる。また、フォーカスがずれて輪郭線等がはっき
りしないというような事態も回避することができる。
【００３８】
なお、本発明は、上記の構成に限定されない。例えば、上記の例では、用紙３に習字用
の表示用画像Ｇを表示させているが、本発明はこれに限定されず、絵画の練習用の表示用
画像Ｇをキャンバス等に投射させることもできる。この際には、前述した習字用の画像デ
ータＤｐに代えて、画像データ取得部１１が絵画習得用の画像データＤｐを取得し、プロ
ジェクタ１５が、画像データ取得部１１によって生成された表示用データＤｄ１に基づく
表示用画像Ｇ（絵画習得用の表示用画像Ｇ）をキャンバス等に投射する。この際に、この
表示装置１によれば、液晶パネルに表示した手本画像を専用用紙および半紙を透過させて
視認させる従来の表示装置とは異なり、光透過性を有さない（若しくは光透過性が低い）
キャンバス等の用紙に対しても表示用画像Ｇを投射することができる。なお、本発明にお
ける「表示用画像」には、習字の手本および絵画の手本などの各種画像が含まれる。また
、「習字」には、「毛筆習字」のみならず「ペン習字」も含まれる。
【００３９】
また、上記の表示装置１では、画像データ取得部１１および文字データ取得部１２が本
発明における記憶媒体としてのメモリカードを接続可能に構成されているが、本発明はこ
れに限定されず、光記録媒体や磁気記録媒体等の各種記憶媒体から画像データＤｐや文字
データＤｔの読み出しが（取得）可能な画像データ取得部１１および文字データ取得部１
２を構成することもできる。さらに、上記の表示装置１では、画像データ取得部１１およ
び文字データ取得部１２が本発明における無線通信としての赤外線通信によってパソコン
や携帯電話等と通信可能に構成されているが、本発明における無線通信は赤外線通信に限
定されず、各種無線ＬＡＮやBluetooth などの各種無線通信によって外部装置から画像デ
ータＤｐおよび文字データＤｔを取得可能に構成することもできる。加えて、ＵＳＢ規格
やＩＥＥＥ１３９４規格に準じた通信ケーブルを介してパソコン等と接続可能に構成する
ことで、これらの通信ケーブルを介して画像データＤｐや文字データＤｔを取得するよう
に構成することもできる。
【図面の簡単な説明】
【００４０】
【図１】表示装置１の構成を示すブロック図である。
【図２】表示用画像Ｇを投射している表示装置１の外観斜視図である。
【図３】台形歪み補正処理の実行前の表示用画像Ｇの一例を示す平面図である。
【図４】台形歪み補正処理の実行後の表示用画像Ｇの一例を示す平面図である。
【符号の説明】
【００４１】
１  表示装置、２  下敷き、３  用紙、１１  画像データ取得部、１２  文字データ取
得部、１３  記憶部、１４  表示用データ生成部、１５  プロジェクタ、Ｄｄ１，Ｄｄ２
表示用データ、Ｄｆ  フォントデータ、Ｄｔ  文字データ、Ｄｐ  画像データ、Ｇ  表
示用画像、Ｌ  投射光
【図１】
2006113424.tif 000003
【図２】
2006113424.tif 000004
【図３】
2006113424.tif 000005
【図４】
2006113424.tif 000006